(57)【要約】【課題】  本発明は、録音装置及び録音装置の調整方法に関し、例えば撮像結果を光ディスクに記録する携帯型のビデオカメラに適用して、外部マイクロホンを用いた録音でも、簡易かつ確実に所望する収音特性により音声信号を取得して記録することができるようにする。【解決手段】  本発明は、外部マイクロホン１２による音声信号を記録する場合には、この外部マイクロホン１２より取得される外部マイクロホン用の補正用パラメータ１３により対応する補正回路５の特性を設定する。【選択図】        図１
2006340247.tif 000002
【特許請求の範囲】
【請求項１】
複数のマイクロホンにより音声信号を取得して記録媒体に記録する録音装置において、
前記音声信号を出力する複数の内蔵マイクロホンと、
前記内蔵マイクロホン用の補正用パラメータにより特性を切り換え、前記内蔵マイクロホンによる音声信号の特性を基準の特性に補正して出力する補正回路と、
前記補正回路から出力される前記音声信号を前記記録媒体に記録する記録部とを備え、
前記補正回路は、
前記複数の内蔵マイクロホンの全部の音声信号又は一部の音声信号に代えて、外部マイクロホンによる音声信号を前記補正回路に入力して前記記録媒体に記録する場合、
前記外部マイクロホンより取得される外部マイクロホン用の補正用パラメータにより対応する前記補正回路の特性を設定することにより、前記外部マイクロホンによる音声信号を前記基準の特性に補正して出力する
ことを特徴とする録音装置。
【請求項２】
前記補正回路は、
前記外部マイクロホン用の補正用のパラメータを、電圧値により取得する
ことを特徴とする請求項１に記載の録音装置。
【請求項３】
前記補正回路は、
前記外部マイクロホン用の補正用のパラメータを、前記外部マイクロホンに設けられたメモリより取得する
ことを特徴とする請求項１に記載の録音装置。
【請求項４】
撮像結果を出力する撮像部と、
前記撮像結果を解析して、前記外部マイクロホンに画像により記録された前記外部マイクロホン用の補正用のパラメータを検出する画像解析部とを有する
ことを特徴とする請求項１に記載の録音装置。
【請求項５】
前記外部マイクロホンに設けられた無線通信部との間のデータ通信により、前記外部マイクロホンに記録された前記外部マイクロホン用の補正用のパラメータを取得する無線通信部を有する
ことを特徴とする請求項１に記載の録音装置。
【請求項６】
複数のマイクロホンにより音声信号を取得して記録媒体に記録する録音装置の調整方法において、
前記録音装置は、
前記音声信号を出力する複数の内蔵マイクロホンと、
前記内蔵マイクロホン用の補正用パラメータにより特性を切り換え、前記内蔵マイクロホンによる音声信号の特性を基準の特性に補正して出力する補正回路と、
前記補正回路から出力される前記音声信号を前記記録媒体に記録する記録部とを備え、
前記調整方法は、
前記複数の内蔵マイクロホンの全部の音声信号又は一部の音声信号に代えて、外部マイクロホンによる音声信号を前記補正回路に入力して前記記録媒体に記録する場合、
前記外部マイクロホンより取得される外部マイクロホン用の補正用パラメータにより対応する前記補正回路の特性を設定することにより、前記外部マイクロホンによる音声信号を前記基準の特性に補正して前記記録媒体に記録する
ことを特徴とする録音装置の調整方法。
【発明の詳細な説明】
【技術分野】
【０００１】
本発明は、録音装置及び録音装置の調整方法に関し、例えば撮像結果を光ディスクに記録する携帯型のビデオカメラに適用することができる。本発明は、外部マイクロホンによる音声信号を記録する場合には、この外部マイクロホンより取得される外部マイクロホン用の補正用パラメータにより対応する補正回路の特性を設定することにより、外部マイクロホンを用いた録音でも、簡易かつ確実に所望する収音特性により音声信号を取得して記録することができるようにする。
【背景技術】
【０００２】
従来、撮像結果及び音声信号を光ディスクに記録する携帯型のビデオカメラでは、内蔵のマイクロホンで取得した音声信号を５．１チャンネルのマルチチャンネルにより光ディスクに記録するものが提供されている。
【０００３】
このようなビデオカメラでは、複数のマイクロホンにより様々な方向からの音声信号を取得し、これらの音声信号の演算処理により、５．１チャンネルの音声信号を生成する物がある。また各マイクロホンの特性、各マイクロホンの音声信号を処理する信号処理回路の特性が工場出荷時に調整され、これにより各マイクロホンから得られる音声信号の収音特性を基準の収音特性に設定して高い臨場感により５．１チャンネルの音場を作成することができるように設定されている。なおここで収音特性は、このようなマルチチャンネルによる音場の作成に影響を与える音声信号の各種特性であり、指向性、周波数、感度等の各種特性である。
【０００４】
ここでこの工場出荷時の調整では、事前に、マイクロホンより出力される音声信号の収音特性から補正に必要な特性が求められ、この補正に必要な特性を確保することができるように、信号処理回路に設けられた補正回路に補正用パラメータが設定され、又は回路調整用のプログラムに補正用パラメータが設定される。これによりこの種のビデオカメラは、各マイクロホンからの音声信号の収音特性が基準の収音特性に設定されて、各マイクロホンのばらつき等が補正される。
【０００５】
このようなマイクロホンの特性の補正に関して、例えば特開平６−２９２２９３号公報等に、種々に手法が提案されている。
【０００６】
ところでこのようなビデオカメラでは、内蔵のマイクロホンに代えて、ユーザーの所望する外部マイクロホンにより音声信号を記録する場合もある。しかしながらこのような外部マイクロホンは、内蔵のマイクロホンとは特性が異なる場合が多い。これにより単に内蔵のマイクロホンに代えて外部マイクロホンで音声信号を取得したのでは、所望の収音特性により音声信号を取得できない問題があり、これにより臨場感の高い音場による音声信号を記録することが困難になり、結局、使用する外部マイクロホンが制約されることになる。
【０００７】
この問題を解決する１つの方法として、外部マイクロホンに応じてビデオカメラを調整することが考えられる。すなわち図１４に示すように、ビデオカメラ１に外部マイクロホン２を接続した状態で、所定の特性調整位置に外部マイクロホン２及び音源Ｓを配置し、この音源Ｓにより基準信号を再生して外部マイクロホン２により収音する。ここで外部マイクロホン２は、音圧の変化を音声信号に変換する機械電気変換部であるマイクホンユニット（Ｍ１）３と、このマイクホンユニット３から出力される音声信号を増幅等する周辺回路（Ａ１）４により構成される。なおマイクホンユニット３の種類によっては、マイクホンユニット３を駆動する駆動回路がさらに周辺回路４に設けられる。これに対してビデオカメラ１は、外部マイクロホン２より出力される音声信号の特性を補正する補正回路５と、この補正回路５によって特性が補正された音声信号を処理する信号処理回路（Ｄ）６等が設けられており、この調整では、この信号処理回路６から出力される音声信号Ｓ１が所望する収音特性となるように、補正回路５の特性（Ｃ１）を設定する。なお補正回路５は、音声信号を増幅する増幅回路、音声信号をアナログディジタル変換処理して音声データを出力するアナログディジタル変換回路、音声データの周波数特性を設定するフィルタ回路等により構成される。信号処理回路６は、他のマイクロホンより得られる音声データとの間の演算処理により音声信号の指向性を所望する指向性に設定する等の処理を実行する。
【０００８】
このようにすれば、図１５に示すように、外部マイクロホン２を使用する場合でも、所望の収音特性により音声信号を取得することができ、これにより臨場感の高い音場を形成することができる。
【０００９】
しかしながらこの場合、調整に手間を要し、またユーザーによっては、このような調整作業を実行できない場合もある。またこのような調整機構を外部マイクロホン側に設ける方法も考えられるが、この場合も、同様の欠点がある。
【特許文献１】特開平６−２９２２９３号公報
【発明の開示】
【発明が解決しようとする課題】
【００１０】
本発明は以上の点を考慮してなされたもので、外部マイクロホンを用いた録音でも、簡易かつ確実に所望する収音特性により音声信号を取得して記録することができる録音装置及び録音装置の調整方法を提案しようとするものである。
【課題を解決するための手段】
【００１１】
かかる課題を解決するため請求項１の発明は、複数のマイクロホンにより音声信号を取得して記録媒体に記録する録音装置に適用して、前記音声信号を出力する複数の内蔵マイクロホンと、前記内蔵マイクロホン用の補正用パラメータにより特性を切り換え、前記内蔵マイクロホンによる音声信号の特性を基準の特性に補正して出力する補正回路と、前記補正回路から出力される前記音声信号を前記記録媒体に記録する記録手段とを備え、前記補正回路は、前記複数の内蔵マイクロホンの全部の音声信号又は一部の音声信号に代えて、外部マイクロホンによる音声信号を前記補正回路に入力して前記記録媒体に記録する場合、前記外部マイクロホンより取得される外部マイクロホン用の補正用パラメータにより対応する前記補正回路の特性を設定することにより、前記外部マイクロホンによる音声信号を前記基準の特性に補正して出力する。
【００１２】
また請求項６の発明は、複数のマイクロホンにより音声信号を取得して記録媒体に記録する録音装置の調整方法に適用して、前記録音装置は、前記音声信号を出力する複数の内蔵マイクロホンと、前記内蔵マイクロホン用の補正用パラメータにより特性を切り換え、前記内蔵マイクロホンによる音声信号の特性を基準の特性に補正して出力する補正回路と、前記補正回路から出力される前記音声信号を前記記録媒体に記録する記録手段とを備え、前記調整方法は、前記複数の内蔵マイクロホンの全部の音声信号又は一部の音声信号に代えて、外部マイクロホンによる音声信号を前記補正回路に入力して前記記録媒体に記録する場合、前記外部マイクロホンより取得される外部マイクロホン用の補正用パラメータにより対応する前記補正回路の特性を設定することにより、前記外部マイクロホンによる音声信号を前記基準の特性に補正して前記記録媒体に記録する。
【００１３】
請求項１の構成により、複数のマイクロホンにより音声信号を取得して記録媒体に記録する録音装置に適用して、前記音声信号を出力する複数の内蔵マイクロホンと、前記内蔵マイクロホン用の補正用パラメータにより特性を切り換え、前記内蔵マイクロホンによる音声信号の特性を基準の特性に補正して出力する補正回路と、前記補正回路から出力される前記音声信号を前記記録媒体に記録する記録手段とを備え、前記補正回路は、前記複数の内蔵マイクロホンの全部の音声信号又は一部の音声信号に代えて、外部マイクロホンによる音声信号を前記補正回路に入力して前記記録媒体に記録する場合、前記外部マイクロホンより取得される外部マイクロホン用の補正用パラメータにより対応する前記補正回路の特性を設定することにより、前記外部マイクロホンによる音声信号を前記基準の特性に補正して出力すれば、外部マイクロホンによる音声信号にあっても、その特性を基準の特性に設定して録音することができる。またこの基準の特性への設定にあっては、簡易かつ確実に設定することができる。これにより外部マイクロホンを用いた録音でも、簡易かつ確実に所望する収音特性により音声信号を取得して記録することができる。
【００１４】
またこれにより請求項６の構成によれば、外部マイクロホンを用いた録音でも、簡易かつ確実に所望する収音特性により音声信号を取得して記録することができる録音装置の調整方法を提供することができる。
【発明の効果】
【００１５】
本発明によれば、外部マイクロホンを用いた録音でも、簡易かつ確実に所望する収音特性により音声信号を取得して記録することができる。
【発明を実施するための最良の形態】
【００１６】
以下、適宜図面を参照しながら本発明の実施例を詳述する。
【実施例１】
【００１７】
（１）実施例の構成
図１は、本発明の原理構成の説明に供するビデオカメラのブロック図である。このビデオカメラ１１は、外部マイクロホン１２の接続により、外部マイクロホン１２に設けられた補正用パラメータ（Ｐ）１３により補正回路５の特性を設定する。
【００１８】
これによりこのビデオカメラ１１では、図２に示すように、内蔵マイクロホンを使用する場合には、ビデオカメラ１１に設けられた内蔵マイクロホンユニット１４による音声信号が、内蔵マイクロホン用の周辺回路１５により処理された後、この内蔵マイクロホン用の特性（Ｃ０）により補正回路５で特性が補正されて基準の収音特性に設定され、処理回路６により処理される。これに対して外部マイクロホン１２を接続した場合には、補正回路５の特性が補正用パラメータ（Ｐ）１３による特性（Ｃ１）に切り換えられ、外部マイクロホン１２により取得された音声信号がこの特性により補正されて基準の収音特性に設定され、処理回路６により処理される。
【００１９】
ここで図１４との対比により図３に示すように、外部マイクロホン１２は、工場出荷時の調整作業において、特性調整用の試験装置１８に接続されて、音源Ｓによる基準信号の音声信号を試験装置１８に出力する。ここでこの試験装置１８は、ビデオカメラ１１における標準の設定による補正回路５、処理回路６が設けられ、この調整作業では、この処理回路６から出力される音声信号Ｓ１の基準の収音特性となるように、補正回路５の特性Ｃ１が調整され、補正回路５の特性をこの特性Ｃ１に設定する補正のパラメータ（Ｐ）１３が外部マイクロホン１２に設定される。
【００２０】
これにより図４に示すように、ビデオカメラ１１では、外部マイクロホン１２による音声信号の収音特性を、内蔵マイクロホンによる音声信号と同様の収音特性により取得して処理することができ、これにより高い臨場感による音場を形成可能に音声信号を記録する。
【００２１】
図５は、この実施例１に係る具体的なビデオカメラの構成を示すブロック図である。このビデオカメラ２１では、この外部マイクロホン用の補正用パラメータＰを、電圧値により取得する。
【００２２】
すなわちこのビデオカメラ２１において、補正回路２５は、音声信号の感度を増幅器により補正して処理回路６に出力する。この増幅器は直流電圧制御型の可変利得増幅器であり、抵抗直列回路による抵抗分圧により生成された感度調整電圧値に応じてその増幅率が変化し、これにより音声信号の感度が調整される。もしくは、補正回路２５内の増幅器が直流電圧制御型の可変利得増幅器ではなく、レジスタ設定によるデジタル制御型の可変利得増幅器の場合でも、図示しないマイクロコンピュータにより、抵抗直列回路による抵抗分圧により生成された感度調整電圧値をアナログデジタル変換し、デジタル化された感度調整電圧データから相当するゲインを与えるパラメータ値をレジスタに書き込む構成をとる。
【００２３】
この補正回路２５は、この抵抗直列回路の一端に入力される感度調整電圧が、基準電圧Ｖｐｐに接続される基準抵抗Ｒと、この基準抵抗Ｒに接続される感度調整抵抗ｒによる抵抗分圧により作成され、これにより図６に示すように、感度調整抵抗ｒの設定により感度を調整できるように構成される。なおこの図６において、アナログディジタル変換処理結果（ＡＤ output ）は、所定の基準電圧をアナログディジタル変換回路に入力した場合の、８ビット及び１２ビットによるアナログディジタル変換処理結果を示すものであり、これにより基準抵抗Ｒに対して感度調整抵抗ｒの比率を増大させることにより、感度が増大していることが判る。
【００２４】
この補正回路２５は、内蔵マイクロホンユニット１４による音声信号を処理する場合と、外部マイクロホン２３による音声信号を処理する場合とで、この感度調整抵抗ｒが切り換えられる。また内蔵マイクロホンユニット１４による音声信号を処理する場合は、この内蔵マイクロホンユニット１４の感度に対応する感度調整抵抗ｒが基準抵抗Ｒに接続され、これによりこの内蔵マイクロホンユニット１４による音声信号の感度を所望の基準感度に調整して処理回路６に出力する。これに対して外部マイクロホン２３による音声信号を処理する場合、外部マイクロホン２３の接続により、内蔵マイクロホンユニット１４の感度調整抵抗ｒに代えて、この外部マイクロホン２３に設けられた感度調整抵抗ｒが基準抵抗Ｒに接続され、これによりこの外部マイクロホン２３による音声信号の感度を基準感度に調整して処理回路６に出力する。これによりこのビデオカメラ２１では、この感度調整抵抗ｒによる感度調整電圧により、補正回路２５に補正用パラメータが与えられる。また、補正回路２５内の増幅器がレジスタ設定によるデジタル制御型の可変利得増幅器の場合は、内蔵マイクロホンユニット１４の感度調整電圧値をデジタルデータに変換された値をメモリ等に保存しておき、抵抗直列回路は外部マイクロホン２３の感度調整電圧を生成する専用回路として使用することで、感度調整データの切り替えをプログラムとして実装することも可能であり、この場合切り替え回路のハードウェアを省略することができる。
【００２５】
このビデオカメラ２１は、このような内蔵マイクロホンユニット１４から処理回路６までの構成が、複数統設けられ、これによりマイクロホンの感度を補正して、内蔵マイクロホンユニット１４及び又は外部マイクロホン２３により様々な方向からの音声信号が取得される。さらにこれらの音声信号の演算処理により５．１チャンネルによる音声信号が生成され、図示しない記録部によりこの５．１チャンネルの音声信号が撮像結果と共に光ディスクに記録する。
【００２６】
（２）実施例の動作
以上の構成において、この実施例１に係るビデオカメラ２１では、複数の内蔵マイクロホンユニット１４により、様々な方向からの音声信号が取得され、この音声信号がそれぞれ周辺回路１５、補正回路２５、処理回路６により処理された後、演算処理されて５．１チャンネルの音声信号が生成され、この音声信号が撮像結果と共に光ディスクに記録される。
【００２７】
ビデオカメラ２１では、この内蔵マイクロホンユニット１４に係る各処理系統において、内蔵マイクロホンユニット１４による音声信号の感度が可変利得増幅器の利得制御に使用される感度調整電圧生成用の感度調整抵抗ｒの設定により調整され、これにより基準の収音特性に補正されて５．１チャンネルの音声信号に変換される。これによりビデオカメラ２１では、補正回路２５の特性を設定する補正用パラメータＰが感度調整抵抗ｒによる感度調整電圧により提供されて、内蔵マイクロホンユニット１４による音声信号の特性が基準特性に補正され、高い臨場感により音場を形成可能に５．１チャンネルの音声信号を記録することができる。
【００２８】
特に、このようなマルチチャンネルによる音声信号の録音においては、各方向のマイクロホンで感度が相違する場合には、音像の定位が著しく劣化し、これにより音場が不自然に形成される。これによりこの実施例のように、各内蔵マイクロホンユニット１４による音声信号の感度を補正するようにして、高い臨場感による音場を形成することができる。
【００２９】
これに対して、例えば内蔵マイクロホンユニットの一部を外部マイクロホン２３に換えて使用する場合、さらにはすべての内蔵マイクロホンユニットを外部マイクロホン２３に換えて使用する場合、このビデオカメラ２１では、この外部マイクロホン２３の接続により、各外部マイクロホン２３に設けられた感度調整抵抗ｒが内蔵マイクロホンユニット１４の感度調整抵抗ｒに代えて基準抵抗Ｒに接続され、これにより補正回路２５の特性の設定に係る補正用パラメータＰが感度調整電圧により提供される。ビデオカメラ２１では、これにより補正回路２５の特性が切り換えられ、外部マイクロホン２３による音声信号の特性が基準の収音特性に補正される。
【００３０】
これによりこのビデオカメラ２１では、内蔵マイクロホンユニット１４に対する外部マイクロホン２３の感度が補正されて、さらには外部マイクロホン１２間の感度のばらつきが補正されて、所望する収音特性により外部マイクロホン２３による音声信号が５．１チャンネルの音声信号に変換される。これによりビデオカメラ２１では、外部マイクロホン２３を用いた録音でも、簡易かつ確実に所望する収音特性により音声信号を取得することができ、この場合も高い臨場感により音声信号を記録することができる。
【００３１】
（３）実施例の効果
以上の構成によれば、外部マイクロホンによる音声信号を記録する場合には、この外部マイクロホンより取得される外部マイクロホン用の補正用パラメータにより対応する補正回路の特性を設定することにより、外部マイクロホンを用いた録音でも、簡易かつ確実に所望する収音特性により音声信号を取得して記録することができる。
【００３２】
これによりビデオカメラの設計時には予定されていない外部マイクロホン等を柔軟に対応して高い臨場感により音声信号を録音することができ、またこのような後発のオプション部品に対して補正回路を再調整する手続きを省くことができる。
【００３３】
またこの補正用パラメータを感度調整抵抗による電圧により提供することにより、簡易な構成により外部マイクロホンによる音声信号の感度を調整して、この外部マイクロホンによる音声信号を所望する特性により取得することができる。
【実施例２】
【００３４】
図７は、図５との対比により本発明の実施例２に係るビデオカメラを示すブロック図である。このビデオカメラ３１において、図５について上述したビデオカメラ２１と同一の構成は、対応する符号を付して示し、重複した説明は省略する。
【００３５】
このビデオカメラ３１において、補正回路３２は、音声信号の感度、周波数特性の補正により、マイクロホンより得られる音声信号の特性を基準の収音特性に設定し、これにより実施例１について上述したビデオカメラ２１に比して一段と精度良く各マイクロホンから得られる音声信号の特性を補正して、高い臨場感による音場を作成する。また補正に供する補正用パラメータを外部マイクロホンから取得するようにして、この補正用パラメータを外部マイクロホンに設けられたメモリより取得する。
【００３６】
すなわちビデオカメラ３１は、内蔵マイクロホンユニット１４による音声信号を記録する場合、メモリに記録した補正用データを図示しないマイクロコンピュータにより補正回路３２のレジスタにセットする。
【００３７】
ここでこの補正用データは、図８に示すように、８ビットによるデータの上位側４ビットにより補正回路３２の利得を指示し、これにより音声信号の感度を設定する。これにより補正回路３２は、レジスタにセットされたこの上位側４ビットのデータを、レジスタ設定によるデジタル制御型の可変利得増幅器において所望の利得を与えるパラメータに変換して処理することにより、音声信号の感度を補正する。また補正用データは、音声信号の周波数特性を補正するローパスフィルタのカットオフ周波数を続く３ビットにより指示する。これにより補正回路３２は、レジスタにセットされたこの続く３ビットのデータにより、音声データを処理するフィルタ回路のタップ係数を切り換え、これにより音声信号の周波数特性を補正する。なお図８では、この補正用データを１２ビットにより作成する場合を併せて記載する。
【００３８】
これによりビデオカメラ２１は、各内蔵マイクロホンユニット１４毎に、この補正用データがメモリに記録されて保持され、各内蔵マイクロホン１４による音声信号の特性を基準特性に設定してこれら内蔵マイクロホン１４のばらつきを補正する。
【００３９】
外部マイクロホン３３は、これにより例えばＥＥＰＲＯＭ（Electrically Erasable Programmable Read-Only Memory ）等による書き換え可能な読み出し専用のメモリ３５が設けられ、工場出荷時の調整工程において、このメモリ３５に補正用データが記録される。ビデオカメラ３１では、外部マイクロホン３３の接続が検出されると、インターフェース３４を介してこのメモリ３５に記録された補正用データがコントローラにより取得され、補正回路３２にセットされる。これらによりこの実施例では、音声信号の感度と周波数特性との補正により、所望する特性による音声信号を取得するようにして、これら音声信号の感度と周波数特性との設定に係る補正用パラメータが、メモリに記録された補正用データにより提供される。なおこの補正用データにあっては、図８に代えて、図９又は図１０に示すように設定してもよい。
【００４０】
なおここで図９は、ほぼ中央のデータ値を基準にして感度を増減するように補正データを設定する場合である。また図１０は、特定の２つの系統に係る補正回路の特性を、１つの補正データにより設定する場合の補正データである。
【００４１】
この実施例によれば、音声信号の感度と周波数特性との補正により、所望する特性による音声信号を取得するようにして、これら音声信号の感度と周波数特性との設定に係るパラメータをメモリに記録した補正用データにより提供するようにしても、実施例１と同様の効果を得ることができる。
【実施例３】
【００４２】
図１１は、図７の対比により本発明の実施例３に係るビデオカメラを示すブロック図である。この実施例では、外部マイクロホン４４からビデオカメラ４１に、ＱＲコード等による２次元のバーコードにより補正用データを提供する。このビデオカメラ４１は、この外部マイクロホン４４からの補正用データの提供方法が異なる点を除いて、実施例1又は実施例２について上述したビデオカメラ２１又は３１と同一に構成される。
【００４３】
このため外部マイクロホン４４は、側面等に２次元のバーコード４５が設けられ、ビデオカメラ４１は、外部マイクロホン４４の接続が検出されると、コントローラの制御により撮像結果をモニタする表示画面に２次元のバーコード４５の撮像を指示するメニューを表示する。また撮像手段４６によりこの２次元のバーコード４５が撮像されると、コントローラにより撮像結果を画像解析して補正用データを復号し、この補正用データを補正回路３２にセットする。
【００４４】
この実施例のように、画像データにより補正データを提供するようにしても、上述の実施例と同様の効果を得ることができる。
【実施例４】
【００４５】
図１２は、図７の対比により本発明の実施例４に係るビデオカメラを示すブロック図である。この実施例では、ＩＣタグ５５により外部マイクロホン５４に補正用データを記録して保持する。なおこのＩＣタグ５５により補正用データに係る構成が異なる点を除いて、実施例1又は実施例２について上述したビデオカメラ２１又は３１と同一に構成される。
【００４６】
これによりこのビデオカメラ５１において、全体の動作を制御するコントローラは、外部マイクロホン５４の接続が検出されると、ＩＣタグ５５との無線通信部であるリーダ５６の制御により、ＩＣタグ５５に記録された補正用データを取得し、この補正用データを補正回路３２にセットする。
【００４７】
この実施例のように、ＩＣタグに外部マイクロホンの補正データを保持するようにして、このＩＣタグによる無線通信部との間のデータ通信により補正用パラメータを取得するようにしても、実施例２と同様の効果を得ることができる。
【実施例５】
【００４８】
図１３は、図７の対比により本発明の実施例５に係るビデオカメラを示すブロック図である。この実施例では、例えばBluetooth 等の無線通信により外部マイクロホン６４の音声信号をビデオカメラ６１に入力するようにして、この無線通信により併せて外部マイクロホン６４の補正用データをビデオカメラ６１に通知する。
【００４９】
このため外部マイクロホン６４には、マイクロホンユニット３で取得された音声信号をアナログディジタル変換処理して音声データを出力するアナログディジタル変換回路、補正用データを記録して保持するメモリ６６、音声データ及び補正用データを送出する通信部６５が設けられる。
【００５０】
またビデオカメラ６１には、外部マイクロホン６４からの音声データ及び補正用データを受信する通信部６７が設けられ、また補正回路６８は、これにより外部マイクロホン６４から音声信号にあっては補正用データに応じた係数による乗算処理により感度を補正する。
【００５１】
この実施例のように音声データを無線通信によりビデオカメラに提供するようにして、この無線通信により補正用データを通知するようにしても、上述の実施例と同様の効果を得ることができる。
【実施例６】
【００５２】
なお上述の実施例においては、実施例１で感度を、実施例２〜４では感度及び周波数特性を補正する場合について述べたが、本発明はこれに限らず、種々の特性の補正に広く適用することができる。
【００５３】
また上述の実施例においては、４チャンネルの音声信号を取得して５．１チャンネルにより記録する場合について述べたが、本発明はこれに限らず、種々のチャンネル数により音声信号を取得する場合、さらには種々のチャンネル数により音声信号を記録する場合に広く適用することができる。
【００５４】
また上述の実施例においては、本発明をビデオカメラに適用して音声信号を撮像結果と共に光ディスクに記録する場合について述べたが、本発明はこれに限らず、メモリカード、磁気ディスク等の各種の記録媒体に記録する場合、さらには音声信号のみを記録媒体に記録する場合に広く適用することができる。
【産業上の利用可能性】
【００５５】
本発明は、録音装置及び録音装置の調整方法に関し、例えば撮像結果を光ディスクに記録する携帯型のビデオカメラに適用することができる。
【図面の簡単な説明】
【００５６】
【図１】本発明の原理構成の説明に供するビデオカメラの構成を示すブロック図である。
【図２】図１のビデオカメラへの外部マイクロホンの接続を示すブロック図である。
【図３】図２の外部マイクロホンに係る補正パラメータの説明に供するブロック図である。
【図４】図３の補正パラメータによる音声信号の特性補正の説明に供するブロック図である。
【図５】本発明の実施例１に係るビデオカメラを示すブロック図である。
【図６】図４のビデオカメラに係る補正用パラメータの説明に供する図表である。
【図７】本発明の実施例２に係るビデオカメラを示すブロック図である。
【図８】図４のビデオカメラに係る補正用パラメータの説明に供する図表である。
【図９】図８の補正用パラメータの他の例の説明に供する図表である。
【図１０】図８及び図１０の補正用パラメータの他の例の説明に供する図表である。
【図１１】本発明の実施例３に係るビデオカメラを示すブロック図である。
【図１２】本発明の実施例４に係るビデオカメラを示すブロック図である。
【図１３】本発明の実施例５に係るビデオカメラを示すブロック図である。
【図１４】外部マイクロホンの調整の説明に供するブロック図である。
【図１５】図１４の調整による音声信号の説明に供するブロック図である。
【符号の説明】
【００５７】
１、１１、２１、３１、４１、５１、６１……ビデオカメラ、２、１２、２３、３３、４４、５４、６４……外部マイクロホン、３……マイクロホンユニット、４、１５……周辺回路、５、２５、３２、６８……補正回路、６……処理回路、１３……補正用パラメータ、１４……内蔵マイクロホンユニット、１８……試験装置、３５、６６……メモリ、５５……ＩＣタグ、６５、６７……通信部
【図１】
2006340247.tif 000003
【図２】
2006340247.tif 000004
【図３】
2006340247.tif 000005
【図４】
2006340247.tif 000006
【図５】
2006340247.tif 000007
【図６】
2006340247.tif 000008
【図７】
2006340247.tif 000009
【図８】
2006340247.tif 000010
【図９】
2006340247.tif 000011
【図１０】
2006340247.tif 000012
【図１１】
2006340247.tif 000013
【図１２】
2006340247.tif 000014
【図１３】
2006340247.tif 000015
【図１４】
2006340247.tif 000016
【図１５】
2006340247.tif 000017